【誤訳訂正書】
【提出日】平成24年1月19日(2012.1.19)
【誤訳訂正１】
【訂正対象書類名】明細書
【訂正対象項目名】全文
【訂正方法】変更
【訂正の内容】
【発明の詳細な説明】
【発明の名称】統一アップリンク制御信号フォーマット
【関連出願に対する相互参照】
【０００１】
本出願は、２００８年１月７日に出願された“UNIFIED UPLINK CONTROL SIGNAL FORMATS”と題された米国仮特許出願６１／０１９，５６３号の利益を主張する。上記出願の全体は、参照によって本明細書に組み込まれる。
【技術分野】
【０００２】
以下の記載は一般に、無線通信に関し、さらに詳しくは、無線通信ネットワークにおける統一アップリンク制御チャネル・フォーマットに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために複数のデータ・ストリームを送信することができる。これらデータ・ストリームは、モバイル・デバイスに対して興味のある独立した受信からなるデータのストリームでありうる。そのような基地局の有効範囲領域内のモバイル・デバイスは、合成ストリームによって搬送された１つ、複数、あるいはすべてのデータ・ストリームを受信するために使用されうる。同様に、モバイル・デバイスは、基地局あるいは別のモバイルのデバイスへデータを送信しうる。
【０００６】
ＭＩＭＯシステムは、データ送信のために、一般に、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００７】
ＭＩＭＯシステムは、共通の物理媒体によって順方向リンク通信および逆方向リンク通信を分割するために、さまざまなデュプレクス技術をサポートすることができる。例えば、周波数分割デュプレクス（ＦＤＤ）システムは、順方向リンク通信および逆方向リンク通信のために、異なる周波数領域を利用することができる。さらに、時分割デュプレクス（ＴＤＤ）システムでは、順方向リンク通信および逆方向リンク通信が、共通の周波数領域を利用することができる。
【発明の概要】
【０００８】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、いずれかまたは全ての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
関連する態様によれば、複数の複数入力複数出力（ＭＩＭＯ）モード内で適用される、統一アップリンク制御信号フォーマットを生成することを容易にする方法が提供される。この方法は、複数のＭＩＭＯモードを含む。ここで、おのおののＭＩＭＯモードは、アップリンク制御情報のためのペイロードをそれぞれ含む。さらに、この方法は、評価されたＭＩＭＯモードのおのおの内でのアップリンク制御情報部分の値の範囲を特定することを含む。この方法は、評価されたＭＩＭＯモードのおのおの内での特定された複数の値の範囲を組み込んだペイロードと予約ビットとを含む統一アップリンク制御信号フォーマットを生成することを備えうる。さらに、この方法は、受信したアップリンク信号を、統一アップリンク制御信号フォーマットおよび予約ビットにしたがって復号することを含みうる。
【００１０】
別の態様は、無線通信装置に関する。この無線通信装置は、複数のＭＩＭＯモードを評価するように構成された少なくとも１つのプロセッサを含みうる。ここで、おのおののＭＩＭＯモードは、アップリンク制御情報のためのペイロードをそれぞれ含む。少なくとも１つのプロセッサはさらに、評価されたＭＩＭＯモードのおのおの内でのアップリンク制御情報部分の値の範囲を特定し、評価されたＭＩＭＯモードのおのおの内での特定された複数の値の範囲を組み込んだペイロードおよび予約ビットを含む統一アップリンク制御信号フォーマットを生成し、受信したアップリンク信号を、統一アップリンク制御信号フォーマットおよび予約ビットにしたがって復号するように構成される。この無線通信装置は、少なくとも１つのプロセッサに接続されたメモリを含みうる。
【００１１】
さらに別の態様は、複数のＭＩＭＯモードのために利用されうるアップリンク制御情報信号パッケージのために統一されたフォーマットを生成する無線通信装置に関する。この無線通信装置は、複数のＭＩＭＯモードを評価する手段を含みうる。ここで、おのおののＭＩＭＯモードは、アップリンク制御情報のペイロードをそれぞれ含みうる。この無線通信装置はさらに、評価されたＭＩＭＯモードのおのおの内でのアップリンク制御情報部分の値の範囲を特定する手段を含みうる。さらに、この装置は、評価されたＭＩＭＯモードのおのおの内での複数の特定の値の範囲を組み込んだペイロードおよび予約ビットを含む統一アップリンク制御信号フォーマットを生成する手段を含みうる。この通信装置はさらに、受信したアップリンク信号を、統一アップリンク制御信号フォーマットおよび予約ビットにしたがって復号する手段を含みうる。
【００１２】
また別の態様は、コンピュータ読取可能媒体を備えたコンピュータ・プログラム製品に関する。このコンピュータ読取可能媒体は、少なくとも１つのコンピュータに対して、複数のＭＩＭＯモードを評価させるためのコードを有する。ここで、おのおののＭＩＭＯモードは、アップリンク制御情報のためのペイロードをそれぞれ含む。コンピュータ読取可能媒体はさらに、少なくとも１つのコンピュータに対して、評価されたＭＩＭＯモードのおのおの内でのアップリンク制御情報部分の値の範囲を特定させ、評価されたＭＩＭＯモードのおのおの内での特定された複数の値を組み込んだペイロードおよび予約ビットを含む統一アップリンク制御信号フォーマットを生成させ、受信したアップリンク信号を、統一アップリンク制御信号フォーマットおよび予約ビットにしたがって復号させる。
【００１３】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００１４】
【図１】図１は、本明細書に記載されたさまざまな態様にしたがう無線通信システムの実例である。
【図２】図２は、無線通信環境において適用される通信装置の実例である。
【図３】図３は、複数のＭＩＭＯモードのために利用されうるアップリンク制御情報信号のための統一フォーマットを生成することを容易にする無線通信システムの実例である。
【図４】図４は、利用可能な複数のＭＩＭＯモードのためのアップリンク制御情報シグナリングを含む、統一アップリンク制御信号フォーマットを生成しうる方法の実例である。
【図５】図５は、複数のＭＩＭＯモードのうちのいずれかで適用されうる統一アップリンク制御信号フォーマットの生成および送信のために、複数のＭＩＭＯモードを評価しうる方法の実例である。
【図６】図６は、無線通信システムにおけるアップリンク制御情報を含むパッケージング・ペイロードを容易にするモバイル・デバイスの実例である。
【図７】図７は、無線通信環境における複数のＭＩＭＯモードのためのアップリンク制御情報シグナリングを含むパッケージされたペイロードを利用することを容易にするシステムの実例である。
【図８】図８は、本明細書で開示されたされたさまざまなシステムおよび方法と共に適用されうる無線ネットワーク環境の実例である。
【図９】図９は、利用可能な複数のＭＩＭＯモードのためのアップリンク制御情報シグナリングを含む統一アップリンク制御信号フォーマットを受信することを容易にするシステムの実例である。
【図１０】図１０は、複数のＭＩＭＯモードのうちのいずれかにおいて適用されうる統一アップリンク制御信号フォーマットの生成および送信を行う複数のＭＩＭＯモードを評価するシステムの実例である。
【発明を実施するための形態】
【００１５】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００１６】
本願で使用されるように、用語「モジュール」、「構成要素」、「パッケージャ」（packager）、「送信機」、「アナライザ」、「評価部」、「受信機」、「システム」等は、ハードウェア、ファームウェア、ハードウェアとソフトウェアの組み合わせ、ソフトウェア、実行中のソフトウェアのいずれかであるコンピュータ関連エンティティを称する。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００１７】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。
【００１８】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さをしている。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００１９】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００２０】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２１】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２２】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２３】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２４】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ）を使用しうる。例えば、基地局１０２は、対応する帯域幅においてモバイル・デバイス（例えば、モバイル・デバイス１１６、１２２）と通信するために特定の技術を利用しうる。さらに、複数の技術が基地局１０２によって使用される場合、おのおのの技術は、それぞれの帯域幅に関連付けられうる。本明細書に記載された技術は下記を含みうる。グローバル・システム・フォー・モバイル（ＧＳＭ）、汎用パケット無線サービス（ＧＰＲＳ）、エンハンスト・データ・レート・フォー・ＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション−データ・オプティマイズド（ＥＶ−ＤＯ）、ウルトラ・モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスト（ＤＭＢ）、デジタル・ビデオ・ブロードキャスト−ハンドヘルド（ＤＶＢ−Ｈ）、ロング・ターム・イボリューション（ＬＴＥ）等。前述した技術のリストは、例として提供され、権利主張される主題は、そのようには限定されず、実質的に任意の無線通信技術が、特許請求の範囲内にあることが意図されることが認識されるべきである。
【００２５】
基地局１０２は、第１の技術を用いて第１の帯域幅を利用しうる。さらに、基地局１０２は、第１の技術に対応するパイロットを、第２の帯域幅で送信しうる。例示によれば、第２の帯域幅は、基地局１０２、および／または、通信のために任意の第２の技術を利用する別の基地局（図示せず）によって導入されうる。さらに、パイロットは、第１の技術の存在を（例えば、第２の技術によって通信しているモバイル・デバイスへ）示しうる。例えば、パイロットは、第１の技術の存在に関する情報を伝送するビットを使用しうる。さらに、例えば、第１の技術を利用するセクタのセクタＩＤ、第１の周波数帯域幅を示すキャリア・インデクス等のような情報がパイロットに含まれうる。
【００２６】
別の例によれば、パイロットは、ビーコン（および／またはビーコンのシーケンス）でありうる。ビーコンは、ＯＦＤＭシンボルでありうる。ここでは、電力の大部分が、（例えば、少数のサブキャリアのような）わずかなサブキャリアのうちの１つのサブキャリアで送信される。したがって、ビーコンは、帯域幅の狭い部分でデータと干渉しながら、モバイル・デバイスによって観察されうる強いピークを提供する（たとえば、この帯域幅の残りは、ビーコンによって影響を受けない）。この例によれば、第１のセクタは、第１の帯域幅で、ＣＤＭＡによって通信し、第２のセクタは、第２の帯域幅で、ＯＦＤＭによって通信しうる。したがって、第１のセクタは、第２の帯域幅でＯＦＤＭビーコン（またはＯＦＤＭビーコンのシーケンス）を送信することによって、第１の帯域幅におけるＣＤＭＡの利用度を（例えば、第２の帯域幅において、ＯＦＤＭを用いて動作しているモバイル・デバイスへ）示しうる。
【００２７】
一般に、主題とする発明は、アップリンク制御情報シグナリングに関連するペイロードのための統一フォーマットを提供する。この統一フォーマットは、任意の適切なＭＩＭＯモードにおいて利用または適用されうる。おのおののＭＩＭＯモードは、さまざまなアップリンク制御情報シグナリング（例えば、第１のコードワードのためのチャネル品質情報（ＣＱＩ）、第２のコードワード用のデルタＣＱＩ、事前符号化行列情報（ＰＭＩ）、ランク情報等（ＲＩ））を含みうる。主題とする発明は、（例えば、ゼロ遅延サイクリック遅延ダイバーシティ（ＣＤＤ）ベースの事前符号化、クローズド・ループ空間多重化、オープン・ループ空間多重化、小規模遅延ＣＤＤベースの事前符号化、大規模遅延ＣＤＤベースの事前符号化、空間ダイバーシティ、空間分割多元接続（ＳＤＭＡ）等））のような任意の利用可能なＭＩＭＯモード内で適合するか、あるいは適用されるために、（例えば、アップリンク制御情報シグナリング・データのような）任意の適切な情報を含みうるユニバーサル・ペイロード・フォーマットを提供しうる。すべてにおいて、主題とする発明は、[これらＭＩＭＯモードに限定されないが]「クローズド・ループ空間多重化」、「小規模遅延ＣＤＤを伴う空間多重化」、「大規模遅延ＣＤＤを伴う空間多重化」、および「空間ダイバーシティ」に関連しており、以下を適用する。クローズド・ループ空間多重化は、しばしば、ゼロ遅延ＣＤＤと称される。小規模遅延ＣＤＤを伴う空間多重化は、略して小規模遅延ＣＤＤと称される。ＬＴＥでは、クローズド・ループ空間多重化は、ランク２以上の送信のために、大規模遅延ＣＤＤを伴う空間多重化、略して大規模遅延ＣＤＤを利用する。また、ＬＴＥでは、ＳＦＢＣおよびＳＦＢＣ−ＦＳＴＤが、空間ダイバーシティ・モードとして使用される。したがって、主題とする技術は、アップリンク制御信号フォーマットの数を最小化するために、アップリンク制御情報のための統一フォーマットを適用する。なぜなら、従来技術は、おのおののＭＩＭＯモードのために特有のアップリンク制御信号フォーマットを利用していたからである。
【００２８】
主題とする技術は、アップリンク制御信号フォーマットおよびダウンリンク制御信号フォーマットに適用されうることが認識されるべきである。例えば、「アップリンク制御信号フォーマット」によって、制御信号（例えばＲＩ、ＰＭＩ、ＣＱＩ等）は、ダウンリンクＭＩＭＯをサポートするために、アップリンクで送信されうる。同様に、「ダウンリンク制御信号フォーマット」は、アップリンクＭＩＭＯをサポートするために、ダウンリンクでＲＩ、ＰＭＩ、ＣＱＩ等をフィードバックすることが要求されうる。さらに、ＭＩＭＯがアップリンクに利用されるシステムでは、「ダウンリンク制御信号」は、統一フォーマットを利用しうる。
【００２９】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通知装置でありうる。通信システムでは、通信装置２００は、複数のＭＩＭＯモードのために、アップリンク制御情報シグナリングを用いた統一フォーマットを生成および利用するために、以下に説明する構成要素を適用する。
【００３０】
通信装置２００は、アップリンク制御情報の値のダイナミック・レンジとペイロード・フォーマットとを特定するために、複数のＭＩＭＯモードを評価しうるパッケージャ２０２を含みうる。評価されたＭＩＭＯモードと、おのおののモードについて識別された値または情報とに基づいて、パッケージャ２０２は、さまざまなＭＩＭＯモードで普遍的に適用または利用されうる統一フォーマットを生成しうる。一般に、統一制御信号フォーマットの場合、ＭＩＭＯモードは演繹的に与えられうる。送信機および／または受信機において複数のＭＩＭＯモードが評価され、最も適切なものが、チャネル条件と、送信機および受信機の機能とに基づいて選択されうる。しかしながら、統一制御信号フォーマットに関する限り、１つのＭＩＭＯモードしか与えられない。それは、ゼロ遅延ＣＤＤ、大規模遅延ＣＤＤ、ダイバーシティ・モード等である。特に、統一フォーマットは、おのおの特有のＭＩＭＯモードに利用されるために、最小量の情報しか含まない。例えば、情報Ａおよび情報Ｂを利用する第１のＭＩＭＯモード、情報Ｂおよび情報Ｃを利用する第２のＭＩＭＯモード、および、情報Ｃおよび情報Ｄを利用する第３のＭＩＭＯモードでありうる。主題とする技術は、情報Ａ、情報Ｂ、情報Ｃ、および情報Ｄを含みうるアップリンク制御情報のための統一フォーマットを生成し、利用しうる。未使用部分が確保されることが認識されるべきである。例えば、第１のＭＩＭＯモードでは、情報Ｃおよび情報Ｄに対応するビットがペイロード内に確保される。また、未使用のフィールドを確保することによって、有効なペイロード・サイズが、Ａ＋Ｂ＋Ｃ＋Ｄではなく、Ａ＋Ｂへ低減されうる。そのようなパッケージ情報を含むペイロードを用いて、第１のＭＩＭＯモード、第２のＭＩＭＯモード、および第３のＭＩＭＯモードが、アップリンク制御情報シグナリングのために利用されうる。
【００３１】
パッケージャ２０２は、任意の適切なＭＩＭＯモードで適用されうる統一フォーマットにおけるアップリンク制御情報を符号化しうる。パッケージャ２０２は、アップリンク制御情報シグナリングのペイロード・サイズのさらなる最小化を図るために、デルタＣＱＩおよびランク情報（ＲＩ）および／または事前符号化行列情報（ＰＭＩ）のコンパクトなパッキングを提供しうる。例えば、パッケージャ２０２は、少なくともＲＩ、ＰＭＩ、ＣＱＩ、およびオプションとしてＨＡＲＱ復号インジケータを含むペイロードを生成しうる。ペイロード・サイズは、アンテナ構成（例えば、送信アンテナの数、および受信アンテナの数）、サブ帯域構成、レポート・モード等にしたがって変わりうる。
【００３２】
通信装置はさらに、アップリンク制御信号情報部分を統一フォーマットで（例えば、基地局、ネットワーク、サーバ、サービス・プロバイダ、ユーザ機器、別の通信装置、ｅノードＢ等のような）エンティティへ通信または送信しうる送信機２０４を含みうる。送信機２０４は、複数のＭＩＭＯモードのためにパッケージにされたアップリンク制御情報で生成された統一フォーマットを通信しうる。複数のＭＩＭＯモードについて、アップリンク制御情報を用いて効率的にパッケージされたペイロードは、特定のＭＩＭＯモードのためのペイロード・サイズを効率的に低減しうることが認識されるべきである。
【００３３】
さらに、図示していないが、通信装置２００は、アップリンク制御情報それぞれのペイロードを含む複数のＭＩＭＯモードを評価することと、評価されたＭＩＭＯモードのおのおの内でのアップリンク制御情報部分の値の範囲を特定することと、評価されたＭＩＭＯモードのおのおの内での特定された複数の値の範囲を組み込んだペイロードを含む統一アップリンク制御信号フォーマットを生成することと、複数のＭＩＭＯモードのおのおのに特有なアップリンク制御情報を含むフォーマットに少なくとも部分的に基づいて、複数のＭＩＭＯモードで統一アップリンク制御信号を利用することと、統一アップリンク制御信号フォーマットを受信することと、等に関連する命令群を保持するメモリを含みうることが認識されるべきである。
【００３４】
さらに、通信装置２００は、おのおのがアップリンク制御情報のためのそれぞれのペイロードを含む複数のＭＩＭＯモードを評価することと、評価されたＭＩＭＯモードのおのおの内でのアップリンク制御情報部分の値の範囲を特定することと、評価されたＭＩＭＯモードのおのおの内で識別された複数の値の範囲を組み込んだペイロードおよび予約ビットを含む統一アップリンク制御信号フォーマットを生成することと、識別された制御情報信号とそれらの値の範囲からなる統一アップリンク制御信号を生成することと、識別されたペイロード・フォーマットにしたがって、および、予約ビット／フィールドの支援を受けて、受信されたアップリンク信号を復号することと、等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００３５】
図３に示すように、複数のＭＩＭＯモードのために適用されうるアップリンク制御情報シグナリング・パッケージのための統一フォーマットを生成することを容易にする無線通信装置３００が例示される。このシステム３００は、ユーザ機器（ＵＥ）３０４（および／または、任意の数の別の通信装置（図示せず））と通信する基地局３０２を含んでいる。基地局３０２は、順方向リンク・チャネルによってユーザ機器（ＵＥ）３０４へ情報を送信し、基地局３０２はさらに、逆方向リンク・チャネルによってユーザ機器（ＵＥ）３０４から情報を受信しうる。さらに、システム３００は、ＭＩＭＯシステムでありうる。さらに、システム３００は、ＯＦＤＭＡ無線ネットワークや、３ＧＰＰ  ＬＴＥ無線ネットワーク等において動作しうる。また、以下に基地局３０２に図示および記述された構成要素および機能は、一例において、その逆に、ユーザ機器（ＵＥ）３０４内にも存在しうるが、図示した構成は、説明を簡単にするために、これら構成要素を除外している。
【００３６】
ユーザ機器３０４は、ＭＩＭＯモードと、おのおののＭＩＭＯモードに基づいて変わりうるアップリンク制御情報それぞれのペイロード・フォーマットとを評価しうる。例えば、第１のＭＩＭＯモードは、第１のダイナミック・レンジを有する大規模遅延ＣＤＤ事前符号化を行う一方、第２のＭＩＭＯモードは、異なるダイナミック・レンジを有するゼロ遅延ＣＤＤ事前符号化を行いうる。ゼロ遅延は、クローズド・ループ空間多重化と称されうることが認識されるべきである。さらに、主題とする技術は、オープン・ループ空間多重化のために利用されうることが認識されるべきである。一般に、アナライザ３０６は、おのおののＭＩＭＯモードについて、利用可能なＭＩＭＯモードを評価し、ペイロード・フォーマットを識別するのみならず、アップリンク制御情報部分のダイナミック・レンジも識別しうる。
【００３７】
ユーザ機器３０４はさらに、アップリンク制御情報に関連するペイロードの統一フォーマットを生成または符号化するパッケージャ３０８を含みうる。ここで、統一制御フォーマットは、大規模遅延ＣＤＤ事前符号化および／またはゼロ／小規模遅延ＣＤＤ事前符号化のダイナミック・レンジの値に関わらず、複数のＭＩＭＯモードのために利用されうる。さらに、パッケージャ３０８は、ペイロード・サイズをさらに最小化するために、デルタＣＱＩ、ランク情報（ＲＩ）、および／または事前符号化行列情報（ＰＭＩ）のコンパクトなパッキングを使用することができる。パッケージャ３０８は、アナライザ３０６によるＭＩＭＯモードの評価に少なくとも部分的に基づいて、任意の適切なＭＩＭＯモードで普遍的に利用することができるペイロードを作成しうることが認識されるべきである。ユーザ機器３０４はさらに、アップリンク制御情報部分を有するペイロードを統一フォーマットで通信または送信しうる送信機３１０を含みうる。送信機３１０は、基地局、基地局３０２、ユーザ機器、ユーザ機器３０４、ネットワーク、サーバ、サービス・プロバイダ、ｅノードＢ等のうちの少なくとも１つへペイロードを通信または送信しうることが認識されるべきである。
【００３８】
基地局３０２は、アップリンク制御情報部分を有するペイロードを統一フォーマットで受信しうる受信機３０６を含みうる。このペイロードは、統一フォーマット内に、おのおののＭＩＭＯモードに基づいてダイナミック・レンジが変わりうるアップリンク制御情報を含む。ここで、ペイロードは、アップリンク制御情報内に、第２のコードワードのデルタＣＱＩを含みうる。受信機３０６は、現在のＭＩＭＯモードを識別しうる。そのような識別に基づいて、受信機３０６は、ペイロードに確保された任意のビット／ストリームが存在するかを判定しうる。受信機３０６は、ペイロードを検索するために、受信した制御パケットを復号しうる。復号を支援するために、確保された任意のビット／フィールドの識別情報が利用されうる。受信機３０６は、復号されたペイロードからＲＩ、ＰＭＩ、ＣＱＩなどを抽出しうる。その後、受信機３０６は、ペイロードからのＲＩ、ＰＭＩ、ＣＱＩなどの抽出を可能にするために、現在のＭＩＭＯモードのペイロード・フォーマットを識別しうる。基地局３０２は、ペイロードが利用されうるＭＩＭＯモードの検査および識別を行う評価部３０８をさらに含みうる。さらに、評価部３０８は、特定のＭＩＭＯモードのために利用することができるペイロード内のアップリンク制御情報を識別しうる。例えば、評価部３０８は、使用されている特定のＭＩＭＯモードのためにペイロード情報が適用されうるペイロードを復号しうる。
【００３９】
説明するように、例えばゼロ遅延ＣＤＤ、小規模遅延ＣＤＤ、および大規模遅延ＣＤＤに基づく事前符号化等のようなさまざまなＭＩＭＯモードが存在しうる。
【００４０】
異なるモードに基づいて、（例えば、第１のコードワードのためのチャネル品質情報（ＣＱＩ）、第２のコードワードのためのデルタＣＱＩ、事前符号化行列情報（ＰＭＩ）、ランク情報（ＲＩ）などのような）従来技術に関し、アップリンク制御シグナリングのために異なるペイロード・サイズが存在しうる。さらに、システム３００は、異なるＭＩＭＯモードに適応しうる統一フォーマットを適用することによって、アップリンク制御信号フォーマットの数を最小化しうる技術を提供しうる。
【００４１】
ＭＩＭＯモードに応じたペイロード・サイズ差は、大規模遅延ＣＤＤ事前符号化およびゼロ／小規模遅延符号化について異なるダイナミック・レンジを有する第２のコードワードのためのデルタＣＱＩに由来する。特に、デルタＣＱＩは、大規模遅延ＣＤＤ事前符号化に対して、負ではない値のみを適用する一方、デルタＣＱＩは、ゼロ／小規模遅延ＣＤＤ事前符号化に対して、両符号（例えば、正の数、および負の数等）を適用しうる。ペイロード全体のサイズは、大規模遅延ＣＤＤ事前符号化については、ゼロ／小規模遅延ＣＤＤ事前符号化のデルタＣＱＩの負のビット・フィールドを確保することによって、ゼロ／小規模遅延ＣＤＤ事前符号化に適応しうる。統一フォーマットでは、両符号に適応する単一のペイロード・サイズが使用される。ゼロ／小規模遅延ＣＤＤ事前符号化の場合、すべてのビット／フィールドが使用される一方、大規模遅延ＣＤＤ事前符号化の場合、負ではない値に対応するビット／フィールドのみが使用され、残り（例えば、負の値に対応するビット／フィールド）は確保される。確保されたフィールドは、ユーザ機器、ｅノードＢ等によって知られるか、あるいは、利用されうる。したがって、大規模遅延ＣＤＤ事前符号化のために効率的に低減されたペイロード・サイズによって、アップリンク制御チャンネル・パフォーマンスが改善されうる。さらに、ペイロードは、ペイロード・サイズをさらに最小化するために、デルタＣＱＩ、ランク情報（ＲＩ）、および／または、事前符号化行列情報（ＰＭＩ）のコンパクトなパッキングを適用することによって最適化されうる。
【００４２】
例えば、パッケージャ３０８は、ランク・インジケータ（ＲＩ）、事前符号化行列インジケータ（ＰＭＩ）、チャネル品質インジケータ（ＣＱＩ）等を含みうるアップリンク制御情報のコンパクトなパッキングを提供しうる。それに加えて、パッケージャ３０８はさらに、アクノレッジメント（ＡＣＫ）および非アクノレッジメント（ＮＡＣＫ）のようなハイブリッド自動反復要求（ＨＡＲＱ）インジケータを提供しうる。パッケージされた情報は、効率的なダウンリンク送信、特に、ダウンリンク複数入力複数出力（ＭＩＭＯ）送信を容易にしうる。例示によれば、ペイロードを伝送するために、アップリンク制御チャネルが適用されうる。例えば、ロング・ターム・イボリューション（ＬＴＥ）ベースのシステムにおいて、物理アップリンク制御チャネル（ＰＵＣＣＨ）が適用されうる。しかしながら、本明細書に記載された態様では、他のチャネルが使用されうることが認識されるべきである。
【００４３】
事前符号化コードブック内のどのエントリが、事前符号化ベースのビームフォーミングのために適用されるべきかを特定するためにＰＭＩが適用される。したがって、ビット幅は、コードブック・サイズに依存する。例えば、ＬＴＥシステムでは、事前符号化コードブックは、２×２アンテナ構成の場合、ランク２について２つのプリコーダを含み、ランク１について４つのプリコーダを含む。したがって、ランク２についてのプリコーダを識別するために１ビットが必要とされ、ランク１については、２ビットが必要とされる。４×２アンテナ構成または４×４アンテナ構成の場合、コードブックは、ランクごとに１６のプリコーダ（例えば、ランク１乃至４のおのおののために１６のプリコーダ）を含む。したがって、４×２アンテナ構成および４×４アンテナ構成では、プリコーダを識別するために、４ビットが必要とされる。
【００４４】
アップリンク制御情報ペイロードには、チャネル品質インジケータ（ＣＱＩ）も含まれている。ＬＴＥシステムでは、ＣＱＩは、１つのコードワード当たり１６の品質レベルのうちの１つを示しうる。したがって、ＣＱＩをレポートするのに必要なビット数は、一般に、コードワード当たり４ビットである。ＬＴＥシステムでは、２つのコードワードが適用されうる。したがって、ＣＱＩをレポートするために必要なビット幅は、８ビットである。ＲＩ、ＰＭＩ、およびＣＱＩをレポートするために、制御チャネル・エンコーダ２０２は、この情報を、合計して、２×２の場合、１０−１１ビット、４×２の場合１３ビット、４×４の場合１４ビットに符号化する。
【００４５】
さらに、図示されていないが、基地局３０２は、おのおのがアップリンク制御情報のためのペイロードをそれぞれ含んでいる複数のＭＩＭＯモードを評価することと、評価されたＭＩＭＯモードのおのおの内でのアップリンク制御情報部分の値の範囲を特定することと、評価されたＭＩＭＯモードのおのおの内で特定された複数の値の範囲を組み込んだペイロードおよび予約ビットを含む統一アップリンク制御信号フォーマットを生成することと、評価されたＭＩＭＯモードに対応する制御情報信号とそれらの値の範囲とからなる統一アップリンク制御信号フォーマットを生成することと、識別されたペイロード・フォーマットと予約ビット／フィールドにしたがって、アップリンク制御信号からペイロードを生成することと、統一アップリンク制御信号を送信することと等に関する命令群を保持するメモリを含みうる。
【００４６】
さらに、基地局３０２は、おのおのがアップリンク制御情報のためのそれぞれのペイロードを含む複数のＭＩＭＯモードを評価することと、評価されたＭＩＭＯモードのおのおの内でのアップリンク制御情報部分の値の範囲を特定することと、評価されたＭＩＭＯモードのおのおの内で特定された複数の値の範囲を組み込んだペイロードおよび予約ビットを含む統一アップリンク制御信号フォーマットを生成することと、受信したアップリンク信号を、統一アップリンク制御信号フォーマットおよび予約ビットにしたがって復号することと等に関する命令群を保持するメモリを含みうる。さらに、基地局３０２は、（例えば、メモリ内に保持された命令群、別のソースから取得された命令群のような）命令群を実行することに関して適用されうるプロセッサを含みうる。
【００４７】
図４乃至図５に示すように、フラッシュ・タイマを設定することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４８】
図４に移って、利用可能な複数のＭＩＭＯモードのためのアップリンク制御情報シグナリングを含む統一アップリンク制御信号フォーマットを受信することを容易にする方法４００が例示される。参照番号４０２では、複数のＭＩＭＯモードが評価される。ここでは、おのおののＭＩＭＯモードは、アップリンク制御情報についてのペイロード・フォーマットをそれぞれ含みうる。一般に、統一制御信号フォーマットの場合、ＭＩＭＯモードは演繹的に与えられうる。送信機および／または受信機において、複数のＭＩＭＯモードが評価されうる。そして、チャネル条件と、送信機および受信機の機能とに基づいて、最も適切なものが選択されうる。しかしながら、統一制御信号フォーマットに関する限り、ゼロ遅延ＣＤＤ、大規模遅延ＣＤＤ、ダイバーシティ・モード等である１つのＭＩＭＯモードが与えられうる。参照番号４０４では、評価されたＭＩＭＯモードのおのおの内のアップリンク制御情報部分について、値の範囲が特定されうる。その後、特定された範囲外のビット／フィールドが確保されるとマークされる。参照番号４０６では、特定された制御情報信号とそれらの値の範囲とからなる統一アップリンク制御信号フォーマットが生成されうる。例えば、特定された値の範囲が、第２のコードワードのデルタＣＱＩに相応しうる。参照番号４０８では、受信されたアップリンク信号が、特定されたペイロード・フォーマットにしたがって、および、予約ビット／フィールドの支援を受けて復号される。
【００４９】
一般に、受信機は、現在のＭＩＭＯモードを識別しうる。そのような識別に基づいて、受信機は、ペイロード内に予約ビット／フィールドが存在するかを判定しうる。受信機は、ペイロードを検索するために、受信した制御パケットを復号しうる。確保された任意のビット／フィールドの識別情報は、復号を支援するために利用されうる。受信機は、復号されたペイロードから、ＲＩ、ＰＭＩ、ＣＱＩ等を抽出しうる。受信機は、その後、ペイロードからＲＩ、ＰＭＩ、ＣＱＩ等の抽出を可能にするために、現在のＭＩＭＯモードのペイロード・フォーマットを識別しうる。
【００５０】
図５に示すように、複数のＭＩＭＯモードのうちのいずれかにおいて適用されうる統一アップリンク制御信号フォーマットの生成および送信のために、複数のＭＩＭＯモードを評価することを容易にする方法５００が示される。参照番号５０２では、複数のＭＩＭＯモードが評価されうる。ここで、おのおののＭＩＭＯモードは、アップリンク制御情報のためのペイロード・フォーマットをそれぞれ含みうる。一般に、統一制御信号フォーマットの場合、ＭＩＭＯモードが演繹的に与えられうる。送信機および／または受信機において、複数のＭＩＭＯモードが評価され、チャネル条件と、送信機および受信機の機能とに基づいて、最も適切なものが選択されうる。しかしながら、統一制御信号フォーマットに関する限り、ゼロ遅延ＣＤＤ、大規模遅延ＣＤＤ、ダイバーシティ・モード等である１つのＭＩＭＯモードしか与えられない。参照番号５０４では、評価されたＭＩＭＯモードのおのおの内で、アップリンク制御情報部分の値の範囲が特定されうる。特定された範囲外のビット／フィールドは確保される。参照番号５０６では、評価されたＭＩＭＯモードに対応する制御情報信号とそれらの値の範囲からなる統一アップリンク制御信号フォーマットが生成されうる。例えば、特定された値の範囲は、第２のコードワードのデルタＣＱＩに相応しうる。参照番号５０８では、特定されたペイロード・フォーマットと、確保されたそれらのビット／フィールドにしたがって、ペイロードが、アップリンク制御信号から生成される。参照番号５１０では、統一アップリンク制御信号が送信されうる。
【００５１】
図６は、無線通信システムにおいて、アップリンク制御情報シグナリングを含むパッケージング・ペイロードを容易にするモバイル・デバイス６００の例示である。モバイル・デバイス６００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機６０２を備えうる。受信機６０２は、受信したシンボルを復調し、それらをチャネル推定のためにプロセッサ６０６へ提供する復調器６０４を備えうる。プロセッサ６０６は、受信機６０２によって受信された情報を分析すること、および／または、送信機６１６による送信のための情報を生成することに特化されたプロセッサ、モバイル・デバイス６００の１または複数の構成要素を制御するプロセッサ、および／または、受信機６０２によって受信された情報を分析することと、送信機６１６による送信のための情報を生成することと、モバイル・デバイス６００のうちの１または複数の構成要素を制御することとのすべて行うプロセッサでありうる。
【００５２】
モバイル・デバイス６００はさらにメモリ６０８を備えうる。このメモリ６０８は、プロセッサ６０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ６０８はさらに、（例えば、パフォーマンス・ベース、キャパシティ・ベース等での）チャネルの推定および／または利用に関連付けられたアルゴリズムおよび／またはプロトコルを格納しうる。
【００５３】
本明細書に記載されたデータ・ストア（例えば、メモリ６０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ６０８は、限定される訳ではないが、これらおよびその他任意の適切なタイプのメモリを備えることが意図される。
【００５４】
プロセッサ６０６はさらに、アナライザ６１０またはパッケージャ６１２のうちの少なくとも１つに動作可能に接続されうる。アナライザ６１０は、ＭＩＭＯモードを評価する。さらには、おのおののＭＩＭＯモードに基づいて変動しうるアップリンク制御情報それぞれのためのペイロード・サイズを評価しうる。例えば、第１のＭＩＭＯモードは、大規模遅延ＣＤＤ事前符号化およびゼロ／小規模遅延ＣＤＤ事前符号化のための第１のダイナミック・レンジを含みうる。一方、第２のＭＩＭＯモードは、大規模遅延ＣＤＤ事前符号化およびゼロ／小規模遅延ＣＤＤ事前符号化のための第２のダイナミック・レンジを含みうる。一般、アナライザ６１０は、利用可能なＭＩＭＯモードの評価、および、おのおののＭＩＭＯモードのペイロード・サイズのみならず、アップリンク制御情報部分（例えば、第２のコードワードのデルタＣＱＩ）の範囲のダイナミック・レンジの特定を行いうる。パッケージャ６１２は、アップリンク制御情報に関連するペイロードのための統一フォーマットを作成または符号化しうる。ここで、統一制御フォーマットは、大規模遅延ＣＤＤ事前符号化および／またはゼロ／小規模遅延ＣＤＤ事前符号化のための値のダイナミック・レンジに関わらず、複数のＭＩＭＯモードのために適用されうる。その上、パッケージャ６１２は、ペイロード・サイズをさらに最小化するために、デルタＣＱＩ、ランク情報（ＲＩ）、および／または、事前符号化行列情報（ＰＭＩ）のコンパクトなパッキングを使用しうる。パッケージャ６１２は、任意の適切なＭＩＭＯモードで普遍的に利用することができるペイロードを作成することができることが認識されるべきである。例えば、第１のＭＩＭＯモードは、第１のダイナミック・レンジを有する大規模遅延ＣＤＤ事前前符号化であり、第２のＭＩＭＯモードは、別のダイナミック・レンジを有するゼロ遅延ＣＤＤ事前符号化でありうる。
【００５５】
モバイル・デバイス６００はさらに、信号を変調する変調器６１４と、この信号を例えば基地局、別のモバイル・デバイス等へ送信する送信機６１６とを備える。プロセッサ６０６と別に示されているが、アナライザ６１０、パッケージャ６１２、復調器６０４、および／または、変調器６１４は、プロセッサ６０６または複数のプロセッサ（図示せず）のうちの一部でありうることが認識されるべきである。
【００５６】
図７は、既に説明したように、無線通信環境において、複数のＭＩＭＯモードのためのアップリンク制御情報シグナリングを含むパッケージされたペイロードを利用することを容易にするシステム７００の実例である。このシステム７００は、複数の受信アンテナ７０６によって１または複数のモバイル・デバイス７０４から信号を受信する受信機７１０と、送信アンテナ７０８によって１または複数のモバイル・デバイス７０４へ信号を送信する送信機７２４とを備える、基地局７０２（例えば、アクセス・ポイント）を備える。受信機７１０は、受信アンテナ７０６から情報を受信する。さらに、受信した情報を復調する復調器７１２と動作可能に関連付けられている。復調されたシンボルは、図６に関連して上述されたプロセッサと類似のプロセッサ７１４によって分析される。プロセッサ７１４は、信号（例えばパイロット）強度および／または干渉強度を推定することに関連する情報、モバイル・デバイス７０４（または（図示しない）別の基地局）へ／から送信される／受信されたデータ、および／または、本明細書に記載されたさまざまな動作および機能を実行することに関連するその他任意の適切な情報を格納するメモリ７１６に接続されている。
【００５７】
さらに、プロセッサ７１４は、評価部７１８またはデコーダ７２０のうちの少なくとも１つに接続されうる。評価部は、アップリンク制御情報部分および対応するＭＩＭＯモードを検査および／または特定しうる。デコーダ７２０は、さまざまなＭＩＭＯモードに関連したアップリンク制御情報を利用するために、ペイロードの統一フォーマットをアンパックまたは復号しうる。さらに、プロセッサ７１４と別に示されているが、評価部７１８、デコーダ７２０、復調器７１２、および／または、変調器７２２は、プロセッサ７１４または複数のプロセッサ（図示せず）の一部でありうることが認識されるべきである。
【００５８】
図８は、無線通信システム８００の例を示す。無線通信システム８００は、簡潔さの目的で、１つの基地局８１０と１つのモバイル・デバイス８５０とを示している。しかしながら、システム８００は、１より多い基地局、および／または、１より多いモバイル・デバイスを含むことができ、これら追加の基地局および／またはモバイル・デバイスは、以下に説明する基地局８１０およびモバイル・デバイス８５０の例と実質的に同じでも、別のものでもありうることが認識されるべきである。それに加えて、基地局８１０および／またはモバイル・デバイス８５０は、その間の無線通信を容易にするために、本明細書に記載されたシステム（図１乃至図３、図６および図７）、および／または方法（図４乃至図５）を適用しうることが認識されるべきである。
【００５９】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符号化スキームに基づいて符号化し、インタリーブして、符号化されたデータを提供する。
【００６０】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、周知の方法で処理される既知のデータ・パターンであり、チャネル応答を推定するためにモバイル・デバイス８５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される命令によって決定されうる。
【００６１】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００６２】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００６３】
モバイル・デバイス８５０では、送信された変調信号が、ＮＲ個のアンテナ８９５２ａ乃至８５２ｒによって受信され、おのおののアンテナ８５２から受信した信号が、それぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６４】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００６５】
プロセッサ８７０は、上述したように、どの事前符号化行列を使用するのかを定期的に決定する。さらに、プロセッサ８７０は、行列インデクス部およびランク値部を備えた逆方向リンク・メッセージを規定することができる。
【００６６】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００６７】
基地局８１０では、モバイル・デバイス８５０からの変調信号が、アンテナ８２４によって受信され、受信機８２２によって調整され、復調器８４０によって復調され、ＲＸデータ・プロセッサ８４２によって処理されて、モバイル・デバイス８５０によって送信された逆方向リンク・メッセージを抽出する。さらに、プロセッサ８３０は、ビームフォーミング重みを決定するためにどの事前符号化行列を使用するかを決定するために、この抽出されたメッセージを処理する。
【００６８】
プロセッサ８３０およびプロセッサ８７０は、基地局８１０およびモバイル・デバイス８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００６９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７０】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００７１】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７２】
図９に示すように、利用可能な複数のＭＩＭＯモードのためのアップリンク制御情報シグナリングを含む統一アップリンク制御信号フォーマットを受信することを容易にするシステム９００が例示される。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。この論理グループ９０２は、複数のＭＩＭＯモードを評価する電子構成要素９０４を含みうる。ここで、おのおののＭＩＭＯモードは、アップリンク制御情報のためのペイロードをそれぞれ含んでいる。さらに、この論理グループ９０２は、評価されたＭＩＭＯモードのおのおの内でのアップリンク制御情報部分の値の範囲を特定するための電子構成要素９０６を含みうる。さらに、この論理グループ９０２は、評価されたＭＩＭＯモードのおのおの内での特定された複数の値の範囲を組み込んだペイロードを含む統一アップリンク制御信号フォーマットを生成するための電子構成要素９０８を含みうる。さらに、論理グループ９０２は、受信したアップリンク制御信号を、統一アップリンク制御信号フォーマットおよび予約ビットにしたがって復号するための電子構成要素９１０を含みうる。さらに、システム９００は、電子構成要素９０４、９０６、９０８、９１０に関連付けられた機能を実行するための命令群を保持するメモリ９１２を含みうる。メモリ９１２の外側にあるとして示されているが、電子構成要素９０４、９０６、９０８、９１０のうちの１または複数は、メモリ９１２内に存在しうることが理解されるべきである。
【００７３】
図１０に移って、複数のＭＩＭＯモードのうちのいずれかに適用されうる統一アップリンク制御信号フォーマットを生成および送信する複数のＭＩＭＯモードを評価するシステム１０００が例示される。システム１０００は、例えば、基地局、モバイル・デバイス等に存在しうる。図示するように、システム１０００は、プロセッサ、ソフトウェア、または（例えば、ファームウェアのような）これらの組み合わせによって実現される機能を表しうる。システム１０００は、複数のＭＩＭＯモード内で利用されるために、アップリンク制御情報に関連するペイロードのパッケージングを最適化することを容易にするための電子構成要素の論理グループ１００２を含む。この論理グループ１００２は、複数のＭＩＭＯモードを評価するための電子構成要素１００４を含みうる。ここで、おのおののＭＩＭＯモードは、アップリンク制御情報のペイロード・フォーマットをそれぞれ含む。さらに、この論理グループ１００２は、評価されたＭＩＭＯモードのおのおの内でのアップリンク制御情報部分の値の範囲を特定するための電子構成要素１００６を含みうる。さらに、この論理グループ１００２は、評価されたＭＩＭＯモードのおのおの内で特定された複数の値の範囲を組み込んだペイロードおよび予約ビットを含む統一アップリンク制御信号フォーマットを生成するための電子構成要素１００８を含みうる。さらに、この論理グループ１００２は、評価されたＭＩＭＯモードに対応する制御情報信号とそれらの値の範囲からなるアップリンク信号制御フォーマットを生成するための電子構成要素１０１０を含みうる。この論理グループ１００２はさらに、統一アップリンク制御信号フォーマットを送信するための電子構成要素１０１２を含みうる。さらに、システム１０００は、電子構成要素１００４、１００６、１００８、１０１０、１０１２に関連付けられた機能を実行するための命令群を保持するメモリ１０１４を含みうる。メモリ１０１４の外側にあるとして示されているが、電子構成要素１００４、１００６、１００８、１０１０、１０１２のうちの１または複数は、メモリ１０１４内に存在しうることが理解されるべきである。
【００７４】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちのいずれかで使用されている限り、その用語は、用語「備える」が、請求項における遷移語として適用される場合に解釈される用語「備える」と同様に、包括的であることが意図される。
以下に、出願当初の特許請求の範囲に対応する発明を付記する。
［発明１］
複数の複数入力複数出力（ＭＩＭＯ）モード内で適用される、統一アップリンク制御信号フォーマットを生成する方法であって、
おのおのがアップリンク制御情報のためのペイロードをそれぞれ含む複数のＭＩＭＯモードを評価することと、
前記評価されたＭＩＭＯモードのおのおの内でのアップリンク制御情報部分の値の範囲を特定することと、
前記評価されたＭＩＭＯモードのおのおの内での特定された複数の値の範囲を組み込んだペイロードと確保されたビットとを含む統一アップリンク制御信号フォーマットを生成することと、
受信したアップリンク信号を、前記統一アップリンク制御信号フォーマットおよび前記確保されたビットにしたがって復号することと
を備える方法。
［発明２］
前記値の範囲は、前記アップリンク制御情報に関連付けられた第２のコードワードのデルタＣＱＩに対応する発明１に記載の方法。
［発明３］
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つに対応する発明２に記載の方法。
［発明４］
デルタＣＱＩ、ランク情報（ＲＩ）、または事前符号化行列情報（ＰＭＩ）のうちの少なくとも２つのコンパクトなパッキングを適用することと、
前記統一アップリンク制御信号フォーマットをダウンリンクに利用することと、
のうちの少なくとも１つをさらに備える発明１に記載の方法。
［発明５］
複数のＭＩＭＯモードを評価することをさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである発明１に記載の方法。
［発明６］
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む発明１に記載の方法。
［発明７］
前記統一アップリンク制御信号フォーマット内でアップリンク制御情報を復号することをさらに備える発明１に記載の方法。
［発明８］
前記統一アップリンク制御信号フォーマット内に含まれるダイナミック・レンジに基づいて、利用するＭＩＭＯモードを識別することをさらに備える発明１に記載の方法。
［発明９］
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信することをさらに備える発明１に記載の方法。
［発明１０］
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信することをさらに備える発明１に記載の方法。
［発明１１］
無線通信装置であって、
おのおのがアップリンク制御情報のためのペイロードをそれぞれ含む複数のＭＩＭＯモードを評価し、前記評価されたＭＩＭＯモードのおのおの内でのアップリンク制御情報部分の値の範囲を特定し、前記評価されたＭＩＭＯモードのおのおの内での特定された複数の値の範囲を組み込んだペイロードと確保されたビットとを含む統一アップリンク制御信号フォーマットを生成し、受信したアップリンク信号を、前記統一アップリンク制御信号フォーマットおよび前記確保されたビットにしたがって復号するように構成された少なくとも１つのプロセッサと、
前記少なくとも１つのプロセッサに接続されたメモリと
を備える無線通信装置。
［発明１２］
前記値の範囲は、前記アップリンク制御情報に関連付けられた第２のコードワードのデルタＣＱＩに対応する発明１１に記載の無線通信装置。
［発明１３］
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つに対応する発明１２に記載の無線通信装置。
［発明１４］
デルタＣＱＩ、ランク情報（ＲＩ）、または事前符号化行列情報（ＰＭＩ）のうちの少なくとも２つのコンパクトなパッキングを適用するように構成されたプロセッサと、
前記統一アップリンク制御信号フォーマットをダウンリンクに利用するように構成されたプロセッサと、
のうちの少なくとも１つをさらに備える発明１１に記載の無線通信装置。
［発明１５］
複数のＭＩＭＯモードを評価するように構成された少なくとも１つのプロセッサをさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである発明１１に記載の無線通信装置。
［発明１６］
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む発明１１に記載の無線通信装置。
［発明１７］
前記統一アップリンク制御信号フォーマット内でアップリンク制御情報を復号するように構成された少なくとも１つのプロセッサをさらに備える発明１１に記載の無線通信装置。
［発明１８］
前記統一アップリンク制御信号フォーマット内に含まれるダイナミック・レンジに基づいて、利用するＭＩＭＯモードを識別するように構成された少なくとも１つのプロセッサをさらに備える発明１１に記載の無線通信装置。
［発明１９］
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信するように構成された少なくとも１つのプロセッサをさらに備える発明１１に記載の無線通信装置。
［発明２０］
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信するように構成された少なくとも１つのプロセッサをさらに備える発明１１に記載の無線通信装置。
［発明２１］
複数の複数入力複数出力（ＭＩＭＯ）モード内で適用される、統一アップリンク制御信号フォーマットを生成することを可能にする無線通信装置であって、
おのおのがアップリンク制御情報のためのペイロードをそれぞれ含む複数のＭＩＭＯモードを評価する手段と、
前記評価されたＭＩＭＯモードのおのおの内でのアップリンク制御情報部分の値の範囲を特定する手段と、
前記評価されたＭＩＭＯモードのおのおの内での特定された複数の値の範囲を組み込んだペイロードと確保されたビットとを含む統一アップリンク制御信号フォーマットを生成する手段と、
受信したアップリンク信号を、前記統一アップリンク制御信号フォーマットおよび前記確保されたビットにしたがって復号する手段と
を備える無線通信装置。
［発明２２］
前記値の範囲は、前記アップリンク制御情報に関連付けられた第２のコードワードのデルタＣＱＩに対応する発明２１に記載の無線通信装置。
［発明２３］
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つに対応する発明２２に記載の無線通信装置。
［発明２４］
デルタＣＱＩ、ランク情報（ＲＩ）、または事前符号化行列情報（ＰＭＩ）のうちの少なくとも２つのコンパクトなパッキングを適用する手段、または、
前記統一アップリンク制御信号フォーマットをダウンリンクに利用する手段、
のうちの少なくとも１つをさらに備える発明２１に記載の無線通信装置。
［発明２５］
複数のＭＩＭＯモードを評価する手段をさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである発明２１に記載の無線通信装置。
［発明２６］
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む発明２１に記載の無線通信装置。
［発明２７］
前記統一アップリンク制御信号フォーマット内でアップリンク制御情報を復号する手段をさらに備える発明２１に記載の無線通信装置。
［発明２８］
前記統一アップリンク制御信号フォーマット内に含まれるダイナミック・レンジに基づいて、利用するＭＩＭＯモードを識別する手段をさらに備える発明２１に記載の無線通信装置。
［発明２９］
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信する手段をさらに備える発明２１に記載の無線通信装置。
［発明３０］
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信する手段をさらに備える発明２１に記載の無線通信装置。
［発明３１］
コンピュータ読取可能媒体を備えるコンピュータ・プログラム製品であって、
前記コンピュータ読取可能媒体は、
少なくとも１つのコンピュータに対して、おのおのがアップリンク制御情報のためのペイロードをそれぞれ含む複数のＭＩＭＯモードを評価させるためのコードと、
少なくとも１つのコンピュータに対して、前記評価されたＭＩＭＯモードのおのおの内でのアップリンク制御情報部分の値の範囲を特定させるためのコードと、
少なくとも１つのコンピュータに対して、前記評価されたＭＩＭＯモードのおのおの内での特定された複数の値の範囲を組み込んだペイロードと確保されたビットとを含む統一アップリンク制御信号フォーマットを生成させるためのコードと、
少なくとも１つのコンピュータに対して、受信したアップリンク信号を、統一アップリンク制御信号フォーマットおよび確保ビットにしたがって復号させるためのコードと
を備えるコンピュータ・プログラム製品。
［発明３２］
前記値の範囲は、前記アップリンク制御情報に関連付けられた第２のコードワードのデルタＣＱＩに対応する発明３１に記載のコンピュータ・プログラム製品。
［発明３３］
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つに対応する発明３２に記載のコンピュータ・プログラム製品。
［発明３４］
前記コンピュータ読取可能媒体はさらに、
前記少なくとも１つのコンピュータに対して、デルタＣＱＩ、ランク情報（ＲＩ）、または事前符号化行列情報（ＰＭＩ）のうちの少なくとも２つのコンパクトなパッキングを適用させるためのコード、または、
前記少なくとも１つのコンピュータに対して、前記統一アップリンク制御信号フォーマットをダウンリンクに利用させるためのコード、
のうちの少なくとも１つを備える発明３１に記載のコンピュータ・プログラム製品。
［発明３５］
前記コンピュータ読取可能媒体はさらに、
前記少なくとも１つのコンピュータ対して、複数のＭＩＭＯモードを評価させるためのコードをさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである発明３１に記載のコンピュータ・プログラム製品。
［発明３６］
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む発明３１に記載のコンピュータ・プログラム製品。
［発明３７］
前記コンピュータ読取可能媒体はさらに、前記少なくとも１つのコンピュータ対して、前記統一アップリンク制御信号フォーマット内でアップリンク制御情報を復号させるためのコードを備える発明３１に記載のコンピュータ・プログラム製品。
［発明３８］
前記コンピュータ読取可能媒体はさらに、前記少なくとも１つのコンピュータ対して、前記統一アップリンク制御信号フォーマット内に含まれるダイナミック・レンジに基づいて、利用するＭＩＭＯモードを識別させるためのコードをさらに備える発明３１に記載のコンピュータ・プログラム製品。
［発明３９］
前記コンピュータ読取可能媒体はさらに、前記少なくとも１つのコンピュータ対して、ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信させるためのコードを備える発明３１に記載のコンピュータ・プログラム製品。
［発明４０］
前記コンピュータ読取可能媒体はさらに、前記少なくとも１つのコンピュータ対して、ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信させるためのコードを備える発明３１に記載のコンピュータ・プログラム製品。
【誤訳訂正２】
【訂正対象書類名】特許請求の範囲
【訂正対象項目名】全文
【訂正方法】変更
【訂正の内容】
【特許請求の範囲】
【請求項１】
複数の複数入力複数出力（ＭＩＭＯ）モード内で適用される、統一アップリンク制御信号フォーマットを生成する方法であって、
おのおのがアップリンク制御情報のためのペイロードをそれぞれ含む複数のＭＩＭＯモードを評価することと、
前記評価されたＭＩＭＯモードのおのおの内でのアップリンク制御情報部分の値の範囲を特定することと、
前記評価されたＭＩＭＯモードのおのおの内での特定された複数の値の範囲を組み込んだペイロードと予約ビットとを含む統一アップリンク制御信号フォーマットを生成することと、
アップリンク信号を、前記統一アップリンク制御信号フォーマットおよび前記予約ビットにしたがって処理することと
を備える方法。
【請求項２】
前記値の範囲は、前記アップリンク制御情報に関連付けられた第２のコードワードのデルタＣＱＩに相応する請求項１に記載の方法。
【請求項３】
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つのダイナミック・レンジに相応する請求項２に記載の方法。
【請求項４】
デルタＣＱＩ、ランク情報（ＲＩ）、または事前符号化行列情報（ＰＭＩ）のうちの少なくとも２つのコンパクトなパッキングを適用することと、
前記統一アップリンク制御信号フォーマットをダウンリンクに利用することと、
のうちの少なくとも１つをさらに備える請求項１に記載の方法。
【請求項５】
複数のＭＩＭＯモードを評価することをさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである請求項１に記載の方法。
【請求項６】
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む請求項１に記載の方法。
【請求項７】
前記統一アップリンク制御信号フォーマットでアップリンク制御情報を復号することをさらに備える請求項１に記載の方法。
【請求項８】
前記統一アップリンク制御信号フォーマット内に含まれるダイナミック・レンジに基づいて、利用するべきＭＩＭＯモードを識別することをさらに備える請求項１に記載の方法。
【請求項９】
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信することをさらに備える請求項１に記載の方法。
【請求項１０】
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信することをさらに備える請求項１に記載の方法。
【請求項１１】
無線通信装置であって、
おのおのがアップリンク制御情報のためのペイロードをそれぞれ含む複数のＭＩＭＯモードを評価し、前記評価されたＭＩＭＯモードのおのおの内でのアップリンク制御情報部分の値の範囲を特定し、前記評価されたＭＩＭＯモードのおのおの内での特定された複数の値の範囲を組み込んだペイロードと予約ビットとを含む統一アップリンク制御信号フォーマットを生成し、アップリンク信号を、前記統一アップリンク制御信号フォーマットおよび前記予約ビットにしたがって処理するように構成された少なくとも１つのプロセッサと、
前記少なくとも１つのプロセッサに接続されたメモリと
を備える無線通信装置。
【請求項１２】
前記値の範囲は、前記アップリンク制御情報に関連付けられた第２のコードワードのデルタＣＱＩに相応する請求項１１に記載の無線通信装置。
【請求項１３】
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つのダイナミック・レンジに相応する請求項１２に記載の無線通信装置。
【請求項１４】
デルタＣＱＩ、ランク情報（ＲＩ）、または事前符号化行列情報（ＰＭＩ）のうちの少なくとも２つのコンパクトなパッキングを適用するように構成されたプロセッサと、
前記統一アップリンク制御信号フォーマットをダウンリンクに利用するように構成されたプロセッサと、
のうちの少なくとも１つをさらに備える請求項１１に記載の無線通信装置。
【請求項１５】
複数のＭＩＭＯモードを評価するように構成された少なくとも１つのプロセッサをさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである請求項１１に記載の無線通信装置。
【請求項１６】
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む請求項１１に記載の無線通信装置。
【請求項１７】
前記統一アップリンク制御信号フォーマットでアップリンク制御情報を復号するように構成された少なくとも１つのプロセッサをさらに備える請求項１１に記載の無線通信装置。
【請求項１８】
前記統一アップリンク制御信号フォーマット内に含まれるダイナミック・レンジに基づいて、利用するべきＭＩＭＯモードを識別するように構成された少なくとも１つのプロセッサをさらに備える請求項１１に記載の無線通信装置。
【請求項１９】
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信するように構成された少なくとも１つのプロセッサをさらに備える請求項１１に記載の無線通信装置。
【請求項２０】
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信するように構成された少なくとも１つのプロセッサをさらに備える請求項１１に記載の無線通信装置。
【請求項２１】
複数の複数入力複数出力（ＭＩＭＯ）モード内で適用される、統一アップリンク制御信号フォーマットを生成することを可能にする無線通信装置であって、
おのおのがアップリンク制御情報のためのペイロードをそれぞれ含む複数のＭＩＭＯモードを評価する手段と、
前記評価されたＭＩＭＯモードのおのおの内でのアップリンク制御情報部分の値の範囲を特定する手段と、
前記評価されたＭＩＭＯモードのおのおの内での特定された複数の値の範囲を組み込んだペイロードと予約ビットとを含む統一アップリンク制御信号フォーマットを生成する手段と、
アップリンク信号を、前記統一アップリンク制御信号フォーマットおよび前記予約ビットにしたがって処理する手段と
を備える無線通信装置。
【請求項２２】
前記値の範囲は、前記アップリンク制御情報に関連付けられた第２のコードワードのデルタＣＱＩに相応する請求項２１に記載の無線通信装置。
【請求項２３】
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つに相応する請求項２２に記載の無線通信装置。
【請求項２４】
デルタＣＱＩ、ランク情報（ＲＩ）、または事前符号化行列情報（ＰＭＩ）のうちの少なくとも２つのコンパクトなパッキングを適用する手段、または、
前記統一アップリンク制御信号フォーマットをダウンリンクに利用する手段、
のうちの少なくとも１つをさらに備える請求項２１に記載の無線通信装置。
【請求項２５】
複数のＭＩＭＯモードを評価する手段をさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである請求項２１に記載の無線通信装置。
【請求項２６】
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む請求項２１に記載の無線通信装置。
【請求項２７】
前記統一アップリンク制御信号フォーマットでアップリンク制御情報を復号する手段をさらに備える請求項２１に記載の無線通信装置。
【請求項２８】
前記統一アップリンク制御信号フォーマット内に含まれるダイナミック・レンジに基づいて、利用するべきＭＩＭＯモードを識別する手段をさらに備える請求項２１に記載の無線通信装置。
【請求項２９】
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信する手段をさらに備える請求項２１に記載の無線通信装置。
【請求項３０】
ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信する手段をさらに備える請求項２１に記載の無線通信装置。
【請求項３１】
コンピュータ読取可能媒体を備えるコンピュータ・プログラム製品であって、
前記コンピュータ読取可能媒体は、
少なくとも１つのコンピュータに対して、おのおのがアップリンク制御情報のためのペイロードをそれぞれ含む複数のＭＩＭＯモードを評価させるためのコードと、
少なくとも１つのコンピュータに対して、前記評価されたＭＩＭＯモードのおのおの内でのアップリンク制御情報部分の値の範囲を特定させるためのコードと、
少なくとも１つのコンピュータに対して、前記評価されたＭＩＭＯモードのおのおの内での特定された複数の値の範囲を組み込んだペイロードと予約ビットとを含む統一アップリンク制御信号フォーマットを生成させるためのコードと、
少なくとも１つのコンピュータに対して、アップリンク信号を、統一アップリンク制御信号フォーマットおよび確保ビットにしたがって処理させるためのコードと
を備えるコンピュータ・プログラム製品。
【請求項３２】
前記値の範囲は、前記アップリンク制御情報に関連付けられた第２のコードワードのデルタＣＱＩに相応する請求項３１に記載のコンピュータ・プログラム製品。
【請求項３３】
前記値の範囲は、大規模遅延ＣＤＤ事前符号化、ゼロ遅延ＣＤＤ事前符号化、クローズド・ループ空間多重化、オープン・ループ空間多重化、あるいは小規模遅延ＣＤＤ事前符号化のうちの少なくとも１つのダイナミック・レンジに相応する請求項３２に記載のコンピュータ・プログラム製品。
【請求項３４】
前記コンピュータ読取可能媒体はさらに、
前記少なくとも１つのコンピュータに対して、デルタＣＱＩ、ランク情報（ＲＩ）、または事前符号化行列情報（ＰＭＩ）のうちの少なくとも２つのコンパクトなパッキングを適用させるためのコード、または、
前記少なくとも１つのコンピュータに対して、前記統一アップリンク制御信号フォーマットをダウンリンクに利用させるためのコード、
のうちの少なくとも１つを備える請求項３１に記載のコンピュータ・プログラム製品。
【請求項３５】
前記コンピュータ読取可能媒体はさらに、
前記少なくとも１つのコンピュータ対して、複数のＭＩＭＯモードを評価させるためのコードをさらに備え、
前記ＭＩＭＯモードは、ゼロ遅延ＣＤＤ事前符号化、小規模遅延ＣＤＤ事前符号化、または大規模遅延ＣＤＤ事前符号化のうちの少なくとも１つである請求項３１に記載のコンピュータ・プログラム製品。
【請求項３６】
前記アップリンク制御情報は、第１のコードワードのチャネル品質情報（ＣＱＩ）、第２のコードワードのデルタＣＱＩ、事前符号化行列情報（ＰＭＩ）、またはランク情報（ＲＩ）のうちの少なくとも１つを含む請求項３１に記載のコンピュータ・プログラム製品。
【請求項３７】
前記コンピュータ読取可能媒体はさらに、前記少なくとも１つのコンピュータ対して、前記統一アップリンク制御信号フォーマットでアップリンク制御情報を復号させるためのコードを備える請求項３１に記載のコンピュータ・プログラム製品。
【請求項３８】
前記コンピュータ読取可能媒体はさらに、前記少なくとも１つのコンピュータ対して、前記統一アップリンク制御信号フォーマット内に含まれるダイナミック・レンジに基づいて、利用するべきＭＩＭＯモードを識別させるためのコードをさらに備える請求項３１に記載のコンピュータ・プログラム製品。
【請求項３９】
前記コンピュータ読取可能媒体はさらに、前記少なくとも１つのコンピュータ対して、ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを受信させるためのコードを備える請求項３１に記載のコンピュータ・プログラム製品。
【請求項４０】
前記コンピュータ読取可能媒体はさらに、前記少なくとも１つのコンピュータ対して、ユーザ機器、基地局、サービス提供基地局、ターゲット基地局、ネットワーク、サーバ、またはｅノードＢのうちの少なくとも１つへの前記アップリンク制御情報を備えた前記統一アップリンク制御信号フォーマットを送信させるためのコードを備える請求項３１に記載のコンピュータ・プログラム製品。